(57)【要約】【課題】ねじ込みは普通に行えるが、ねじ込み後は緩めることができないようにし、各種部材の取付け後に取外されては困る部分に用いて便利な締結具を提供する。【解決手段】締結具１における頭部３の上面に、マイナスドライバー４の係合溝５を設け、前記係合溝５の長さ方向を、螺軸２の軸心と交差する位置を境にして両側の部分とし、この両側の部分の、係合溝５に係合させたマイナスドライバー４の緩め方向への回動側に位置する側縁が、係合溝５の底部５ａから頭部３の上面に向けて上り傾斜となる傾斜面６になっている。【選択図】図１
2009058089.tif 000002
【特許請求の範囲】
【請求項１】
螺軸の一端に設けた頭部の上面に、マイナスドライバーの係合溝を螺軸の軸心と交差するように設け、前記係合溝の長さ方向を、螺軸の軸心と交差する位置を境にして両側の部分とし、この両側の部分の、係合溝に係合させたマイナスドライバーの緩め方向への回動側に位置する側縁が、係合溝の底部から頭部の上面に向けて上り傾斜となる傾斜面になっている締結具。
【発明の詳細な説明】
【技術分野】
【０００１】
この発明は、各種部材を取付けるために用いるビスやボルト等の締結具、更に詳しくは、各種部材をねじ込み固定した後に、簡単に緩めることができないようにした締結具に関する。
【背景技術】
【０００２】
例えば、自動車におけるナンバープレートの取付けには、ビスやボルトが用いられ、従来、このような用途のビスやボルトは、螺軸の一端に設けた頭部の上面に、プラスやマイナスのドライバーを係合するための係合溝を設けた構造になっている。
【発明の開示】
【発明が解決しようとする課題】
【０００３】
ところで、従来のビスやボルトにおいて、頭部に設けたドライバーの係合溝は、プラス又はマイナスの何れの場合でも、ドライバーのねじ込み方向と緩め方向の何れの回転に対しても係合する構造になっているので、自動車に取付けたナンバープレートをドライバーで簡単に取外すことが可能になり、このため、ナンバープレートの盗難が頻繁に発生し、ナンバープレートを悪用した犯罪を誘発する原因になっている。
【０００４】
そこで、この発明の課題は、ねじ込みは普通に行えるが、ねじ込み後は緩めることができないようにし、自動車のナンバープレートの取付けのように、各種部材の取付け後に取外されては困る部分に用いて便利な締結具を提供することにある。
【課題を解決するための手段】
【０００５】
上記の課題を解決するため、この発明は、螺軸の一端に設けた頭部の上面に、マイナスドライバーの係合溝を螺軸の軸心と交差するように設け、前記係合溝の長さ方向を、螺軸の軸心と交差する位置を境にして両側の部分とし、この両側の部分の、係合溝に係合させたマイナスドライバーの緩め方向への回動側に位置する側縁が、係合溝の底部から頭部の上面に向けて上り傾斜となる傾斜面になっている構成を採用したものである。
【０００６】
ここで、上記傾斜面は、係合溝の底部から頭部の周方向に略９０°の範囲で設けられ、係合溝に係合させたマイナスドライバーは、緩め方向へ回動させると、マイナスドライバーの先端が傾斜面に乗り上げて頭部の上面に押し上げられ、緩め方向への係合が生じないので、締結具を緩めることができないことになる。
【０００７】
また、上記頭部は、外周面がテーパーの円錐台形や半球状のような、ペンチ等の工具で頭部をつかむのが困難となり、ねじ込み後に緩めることができない形状になっている。
【発明の効果】
【０００８】
この発明によると、頭部の上面にマイナスドライバーの係合溝を螺軸の軸心と交差するように設け、前記係合溝の長さ方向を、螺軸の軸心と交差する位置を境にして両側の部分とし、この両側の部分の、係合溝に係合させたマイナスドライバーの緩め方向への回動側に位置する側縁が、係合溝の底部から頭部の上面に向けて上り傾斜となる傾斜面にしたので、係合溝に係合させたマイナスドライバーを緩め方向へ回動させると、マイナスドライバーの先端が傾斜面に乗り上げて頭部の上面に押し上げられ、緩め方向への係合が生じないので、ねじ込み後の締結具を緩めることができないことになり、各種部材の取付け後に取外されては困る部分に用いて便利であり、自動車のナンバープレートの取付けに用いれば、盗難防止に有効である。
【発明を実施するための最良の形態】
【０００９】
以下、この発明の実施の形態を添付図面に基づいて説明する。
【００１０】
図示のように、締結具１は、所定の長さと直径を有する螺軸２と、この螺軸２の一端に設けた頭部３からなり、頭部３の上面にマイナスドライバー４の係合溝５が設けられている。
【００１１】
上記頭部３は、螺軸２よりも大径で、外周面がテーパーの円錐台形や図示省略したが半球状のような、ペンチ等の工具で頭部をつかむのが困難となり、ねじ込み後に緩めることができない形状になっている。
【００１２】
上記頭部３の上面に設けた係合溝５は、マイナスドライバー４の先端が係合する断面コ字状のようなマイナス溝になっており、この係合溝５は螺軸２の軸心と交差するように、頭部３の中心を通る直径方向の全長にわたって設けられている。
【００１３】
この係合溝５は、その長さ方向を、螺軸２の軸心と交差する位置を境にして両側の部分とし、この両側の部分の、係合溝５に係合させたマイナスドライバー４の緩め方向への回動側に位置する側縁が、係合溝５の底部５ａから頭部３の上面に向けて上り傾斜となる傾斜面６に形成されている。
【００１４】
上記傾斜面６は、係合溝５の底部５ａから頭部３の周方向に略９０°の範囲で設けられ、また、上記係合溝５の両側の部分において、係合溝５に係合させたマイナスドライバー４のねじ込み方向への回動側に位置する部分は、垂直の側壁７となり、マイナスドライバー４のねじ込み方向への回動時に、マイナスドライバー４がこの側壁７に係合することで、締結具１にねじ込み方向の回転を付与することができるようになっている。
【００１５】
なお、締結具１は、大きさや長さ等を任意に選択できると共に、図示の場合、螺軸２がストレートなボルトを示したが、螺軸２が先端に向けて小径となるようなビスであってもよい。
【００１６】
この発明の締結具は、上記のような構成であり、次にこの締結具の使用方法を説明する。
【００１７】
各種部材を固定部分に取付けるために、各種部材に形成した挿通孔から固定部分のねじ孔に締結具１をねじ込む場合、頭部３の上面に形成した係合溝５にマイナスドライバー４の先端を差込み、マイナスドライバー４を締結具１のねじ込み方向に回すと、マイナスドライバー４の先端は、係合溝５の両側の部分において、ねじ込み方向への回動側に位置する垂直の側壁７に係合し、締結具１はねじ込み方向へ一体に回動することになり、これによって螺軸２がねじ孔にねじ込まれ、各種部材を頭部３で押さえ込むことで、各種部材が固定部分に固定化され、各種部材の取付け作業が完了する。
【００１８】
上記のように、締結具１で各種部材が固定部分に固定化した状態で、締結具１を緩めて各種部材を取り外そうとして、頭部３の上面に形成した係合溝５にマイナスドライバー４の先端を差込み、マイナスドライバー４を締結具１の緩め方向に回すと、係合溝５の両側の部分において、緩め方向への回動側は、係合溝５の底部５ａから頭部３の上面に向けて上り傾斜となる傾斜面６になっているので、マイナスドライバー４の先端はこの傾斜面６に乗り上げ、回転と共に傾斜面６を滑って頭部３の上面に押し上げられ、この結果、マイナスドライバー４の先端は係合溝５から外れ、締結具１に対してマイナスドライバー４の先端は緩め方向に係合できず、締結具１を緩められないので各種部材を取外すことができないことになる。
【００１９】
また、締結具１の頭部３は、外周面がテーパーの円錐台形や半球状のような、ペンチ等の工具で頭部をつかむのが困難な形状になっているので、ペンチ等の工具で頭部３をつかんで緩めることもできず、従って、締結具１は、例えば、自動車のナンバープレートの盗難防止用として有効である。
【図面の簡単な説明】
【００２０】
【図１】（ａ）はこの発明に係る締結具の斜視図、（ｂ）は締結具の平面図、（ｃ）は締結具の側面図、（ｄ）は締結具の正面図
【符号の説明】
【００２１】
１        締結具
２        螺軸
３        頭部
４        マイナスドライバー
５        係合溝
６        傾斜面
７        垂直の側壁
【図１】
2009058089.tif 000003